(57)【要約】【課題】製造が容易であり、且つ、デザイン性に優れた度付きサングラスとして使用可能な眼鏡セットを提供することを課題とする。【解決手段】前記前掛サングラスレンズ３は、後方に突出し、側方に切欠部３３１が形成された突起部３３を具備し、前記度付き眼鏡２は、鼻パッド２１５がそれぞれ取り付けられた弾性を有する左右のクリングス２１４が設けられ、前記左右のクリングス２１４が、互いに反対方向に付勢されると共に、前記左右のクリングス２１４が互いに左右反対方向に弾性変形し、前記突起部３３の切欠部３３１に対して弾性的に係合することで、前記前掛サングラスレンズ３が前記度付き眼鏡２の前枠２１の前面に取り付けられることを特徴とする眼鏡セット１を提供する。【選択図】図１
2008003155.tif 000002
【特許請求の範囲】
【請求項１】
左右の度付きレンズを有する前枠及び左右のテンプルを具備する度付き眼鏡と、前記度付き眼鏡の前枠よりも曲率が大きく、前記度付き眼鏡の前枠の前面に着脱自在に取り付けられる前掛サングラスレンズとを備えた眼鏡セットであって、
前記前掛サングラスレンズは、後方に突出し、側方に切欠部が形成された突起部を具備し、
前記度付き眼鏡は、鼻パッドがそれぞれ取り付けられた弾性を有する左右のクリングスが設けられ、
前記左右のクリングスが、互いに反対方向に付勢されると共に、前記左右のクリングスが互いに左右反対方向に弾性変形し、前記突起部の切欠部に対して弾性的に係合することで、前記前掛サングラスレンズが前記度付き眼鏡の前枠の前面に取り付けられることを特徴とする眼鏡セット。
【請求項２】
左右の度付きレンズを有する前枠及び左右のテンプルを具備する度付き眼鏡と、前記度付き眼鏡の前枠よりも曲率が大きく、前記度付き眼鏡の前枠の前面に着脱自在に取り付けられる前掛サングラスレンズとを備えた眼鏡セットであって、
前記度付き眼鏡は、前方に突出し、側方に切欠部が形成された突起部を具備し、
前記前掛サングラスレンズは、鼻パッドが取り付けられた弾性を有する左右のクリングスが設けられ、
前記左右のクリングスが、互いに反対方向に付勢されると共に、前記左右のクリングスが互いに左右反対方向に弾性変形し、前記突起部の切欠部に対して弾性的に係合することで、前記前掛サングラスレンズが前記度付き眼鏡の前枠の前面に取り付けられることを特徴とする眼鏡セット。
【請求項３】
サングラスレンズを有する前枠及びテンプルを具備するサングラスと、左右の度付きレンズを有し、且つ、前記サングラスの前枠よりも曲率が小さく、前記サングラスの前枠の後面に着脱自在に取り付けられる内掛眼鏡とを備えた眼鏡セットであって、
前記サングラスは、後方に突出し、側方に切欠部が形成された突起部を具備し、
前記内掛眼鏡は、鼻パッドが取り付けられた弾性を有する左右のクリングスが設けられ、
前記左右のクリングスが、互いに反対方向に付勢されると共に、前記左右のクリングスが互いに左右反対方向に弾性変形し、前記突起部の切欠部に対して弾性的に係合することで、前記内掛眼鏡が前記サングラスの前枠の後面に取り付けられることを特徴とする眼鏡セット。
【請求項４】
サングラスレンズを有する前枠及びテンプルを具備するサングラスと、左右の度付きレンズを有し、且つ、前記サングラスの前枠よりも曲率が小さく、前記サングラスの前枠の後面に着脱自在に取り付けられる内掛眼鏡とを備えた眼鏡セットであって、
前記内掛眼鏡は、前方に突出し、側方に切欠部が形成された突起部を具備し、
前記サングラスは、鼻パッドが取り付けられた弾性を有する左右のクリングスが設けられ、
前記左右のクリングスが、互いに反対方向に付勢されると共に、前記左右のクリングスが互いに左右反対方向に弾性変形し、前記突起部の切欠部に対して弾性的に係合することで、前記内掛眼鏡が前記サングラスの前枠の後面に取り付けられることを特徴とする眼鏡セット。
【発明の詳細な説明】
【技術分野】
【０００１】
本発明は、デザイン性に優れた眼鏡セットに関するものである。
【背景技術】
【０００２】
近年、デザイン性に優れたサングラスのニーズが高まっており、デザイン性に優れた各種のサングラスが商品化されている。その１つとして、左右のサングラスレンズを有する前枠が顔面に沿うような大きな曲率で湾曲したサングラスを挙げることができる。
【０００３】
サングラスには、左右のサングラスレンズに度の入った近眼者用或いは老眼者用の度付きサングラスもあり、こういった度付きサングラスについても、前枠が大きな曲率で湾曲したデザインに対するニーズが高まっている。
【発明の開示】
【発明が解決しようとする課題】
【０００４】
度付きサングラスの場合、左右のサングラスレンズは、焦点を調整する機能を持たすためにユーザの視力等に基づいた形状に設計される。従って、前枠の形状は、ユーザの視力等に制約されるため、前枠が大きな曲率で湾曲したデザインの度付きサングラスの製造は困難な場合がある。
【０００５】
本発明は、かかる従来技術の問題点を解決するべくなされたものであり、製造が容易であり、且つ、デザイン性に優れた度付きサングラスとして使用可能な眼鏡セットを提供することを課題とする。
【課題を解決するための手段】
【０００６】
前記課題を解決するべく、本発明は、第１の手段として、左右の度付きレンズを有する前枠及び左右のテンプルを具備する度付き眼鏡と、前記度付き眼鏡の前枠よりも曲率が大きく、前記度付き眼鏡の前枠の前面に着脱自在に取り付けられる前掛サングラスレンズとを備えた眼鏡セットであって、前記前掛サングラスレンズは、後方に突出し、側方に切欠部が形成された突起部を具備し、前記度付き眼鏡は、鼻パッドがそれぞれ取り付けられた弾性を有する左右のクリングスが設けられ、前記左右のクリングスが、互いに反対方向に付勢されると共に、前記左右のクリングスが互いに左右反対方向に弾性変形し、前記突起部の切欠部に対して弾性的に係合することで、前記前掛サングラスレンズが前記度付き眼鏡の前枠の前面に取り付けられることを特徴とする眼鏡セットを提供する。
【０００７】
第１の手段として提供される眼鏡セットは、前掛サングラスレンズと度付き眼鏡とを備えている。前掛サングラスレンズに使用されるレンズには、焦点を調整する機能を備えず、色の付いたレンズや、偏向性を備えたレンズ等が使用される。前掛サングラスレンズは、後方に突出し、側方に切欠部が形成された突起部を具備している。一方、度付き眼鏡は、鼻パッドがそれぞれ取り付けられた弾性を有する左右のクリングスが設けられている。左右のクリングスは、互いに左右反対方向に弾性変形し、それぞれ突起部の切欠部に対して弾性的に係合する。つまり、弾性変形によって生じるクリングスの付勢力が切欠部に作用する状態で係合する。このように、左右反対方向に弾性変形した左右のクリングスが弾性的に切欠部に係合することで、前枠は、左右のクリングスの弾性変形による左右反対方向の付勢力が釣り合う位置にて静止する。さらに、突起部の側方に形成された切欠部にクリングスが係合することで、クリングスに対して突起部、ひいては前掛サングラスレンズの前後方向の移動が阻止される。このような突起部とクリングスとの係合によって、前掛サングラスレンズは、度付き眼鏡に取り付けられる。さらに、前掛サングラスレンズに具備される突起部は、後方に突出しているので、突起部とクリングスとを係合させると、前掛サングラスレンズは度付き眼鏡の前枠の前面に取り付けられる。
【０００８】
度付き眼鏡の前枠の前面に前掛サングラスレンズを取り付けると、正面視において、度付き眼鏡が前掛サングラスレンズによって隠れる。そのため、度付き眼鏡の前枠の前面に曲率が大きい前掛サングラスレンズを取り付けると、度付き眼鏡は、前枠が顔面に沿うように、大きな曲率で湾曲したサングラスのように視認される。上述のように、前掛サングラスレンズに使用されるレンズは、焦点を調整する機能を備えないため、ユーザの視力等によってレンズの曲率が制約されない。従って、曲率が大きい前掛サングラスレンズの製造は容易である。また、このように、度付き眼鏡の前枠の前面に前掛サングラスレンズを取り付ければ、度付き眼鏡の左右の度付きレンズと前掛サングラスレンズとが重なり、度付き眼鏡を度付きサングラスとして使用することができる。よって、本発明によれば、製造が容易であり、且つ、デザイン性に優れた度付きサングラスとして使用可能な眼鏡セットを提供することができる。
【０００９】
もちろん、前掛サングラスレンズを度付き眼鏡から取り外した状態では、度付き眼鏡を、度付き眼鏡そのものとして使用することができる。また、前掛サングラスレンズの取り替え可能であるので、各種デザインの前掛サングラスレンズを複数用意しておき、度付き眼鏡に取り付ける前掛サングラスレンズを取り替えれば、度付き眼鏡を様々なデザインの度付きサングラスとして使用することができる。
【００１０】
第１の手段として提供される眼鏡セットは、好ましくは、前記度付き眼鏡は、前後方向に延びる貫通孔を具備し、前記切欠部は、前記突起部が前記貫通孔に挿通された状態において、前記貫通孔外に露出する位置に形成されており、前記左右のクリングスは、前記貫通孔に前記突起部が挿通された状態の前記切欠部に対して弾性的に係合する構成とされる。
【００１１】
かかる好ましい構成によれば、度付き眼鏡が前後方向に延びる貫通孔を具備し、突起部が貫通孔に挿通されるため、度付き眼鏡に対する突起部の上下左右方向の移動が阻止される。これにより、突起部、ひいては前掛サングラスレンズの度付き眼鏡への取り付け状態を安定化させることができる。また、切欠部は、突起部が貫通孔に挿通された状態において、貫通孔外に露出する位置に形成されているため、突起部を貫通孔に挿通しても、クリングスと突起部との係合が阻害されることはない。従って、かかる好ましい構成によれば、クリングスと突起部との係合を阻害させることなく、前掛サングラスレンズの度付き眼鏡への取り付け状態を安定化させることができる。
【００１２】
また、前記課題を解決するべく、本発明は、第２の手段として、左右の度付きレンズを有する前枠及び左右のテンプルを具備する度付き眼鏡と、前記度付き眼鏡の前枠よりも曲率が大きく、前記度付き眼鏡の前枠の前面に着脱自在に取り付けられる前掛サングラスレンズとを備えた眼鏡セットであって、前記度付き眼鏡は、前方に突出し、側方に切欠部が形成された突起部を具備し、前記前掛サングラスレンズは、鼻パッドが取り付けられた弾性を有する左右のクリングスが設けられ、前記左右のクリングスが、互いに反対方向に付勢されると共に、前記左右のクリングスが互いに左右反対方向に弾性変形し、前記突起部の切欠部に対して弾性的に係合することで、前記前掛サングラスレンズが前記度付き眼鏡の前枠の前面に取り付けられることを特徴とする眼鏡セットを提供する。
【００１３】
第２の手段として提供される眼鏡セットは、突起部が、度付き眼鏡に具備されて前方に突出し、クリングスが前掛サングラスレンズに設けられている点を除いて、第１の手段として提供される眼鏡セットと同一の構成である。第２の手段として提供される眼鏡セットにおいても、突起部の切欠部とクリングスとが係合することで、前掛サングラスレンズが度付き眼鏡の前枠の前面に取り付けられる。このように、第２の手段として提供される眼鏡セットは、第１の手段として提供される眼鏡セットと同様に、度付き眼鏡の前枠の前面に前掛サングラスレンズを取り付けることができるので、第１の手段として提供される眼鏡セットと同様の効果を有する。
【００１４】
第２の手段として提供される眼鏡セットは、好ましくは、前記前掛サングラスレンズは、前後方向に延びる貫通孔を具備し、前記切欠部は、前記突起部が前記貫通孔に挿通された状態において、前記貫通孔外に露出する位置に形成されており、前記左右のクリングスは、前記貫通孔に前記突起部が挿通された状態の前記切欠部に対して弾性的に係合する構成とされる。
【００１５】
かかる好ましい構成によれば、第１の手段の好ましい構成と同様に、クリングスと突起部との係合を阻害させることなく、前掛サングラスレンズの度付き眼鏡への取り付け状態を安定化させることができる。
【００１６】
また、前記課題を解決するべく、本発明は、第３の手段として、サングラスレンズを有する前枠及びテンプルを具備するサングラスと、左右の度付きレンズを有し、且つ、前記サングラスの前枠よりも曲率が小さく、前記サングラスの前枠の後面に着脱自在に取り付けられる内掛眼鏡とを備えた眼鏡セットであって、前記サングラスは、後方に突出し、側方に切欠部が形成された突起部を具備し、前記内掛眼鏡は、鼻パッドが取り付けられた弾性を有する左右のクリングスが設けられ、前記左右のクリングスが、互いに反対方向に付勢されると共に、前記左右のクリングスが互いに左右反対方向に弾性変形し、前記突起部の切欠部に対して弾性的に係合することで、前記内掛眼鏡が前記サングラスの前枠の後面に取り付けられることを特徴とする眼鏡セットを提供する。
【００１７】
第３の手段として提供される眼鏡セットは、サングラスと内掛眼鏡とを備えている。サングラスのサングラスレンズには、焦点を調整する機能を備えず、色の付いたレンズや偏向性を有するレンズが使用される。サングラスは、後方に突出し、側方に切欠部が形成された突起部を具備している。一方、内掛眼鏡は、鼻パッドが取り付けられた左右のクリングスが設けられている。左右のクリングスは、第１の手段として提供される眼鏡セットと同様に、互いに左右反対方向に弾性変形し、それぞれサングラスに具備された突起部の切欠部に対して弾性的に係合する。このように、左右反対方向に弾性変形した左右のクリングスが弾性的に切欠部に係合することで、内掛眼鏡は、左右のクリングスの弾性変形による左右反対方向の付勢力が釣り合う位置にて静止する。さらに、突起部の側方に形成された切欠部にクリングスが係合することで、突起部に対してクリングス、ひいては内掛眼鏡の前後方向の移動が阻止される。このような突起部とクリングスとの係合によって内掛眼鏡はサングラスに取り付けられる。さらに、サングラスに具備される突起部は、後方に突出しているので、突起部とクリングスとを係合させると、内掛眼鏡はサングラスの前枠の後面に取り付けられる。
【００１８】
内掛眼鏡をサングラスの前枠の後面に取り付けると、正面視において、内掛眼鏡がサングラスによって隠れる。よって、内掛眼鏡の曲率は、サングラスの前枠の曲率よりも小さいが、内掛眼鏡を取り付けることで、サングラスの前枠が実際よりも小さく視認されることが無い。従って、例えば、サングラスの前枠の曲率が大きい場合、内掛眼鏡を取り付けても、サングラスは、デザイン性に優れた形状として視認される。このように、サングラスの前枠の後面に内掛眼鏡を取り付ければ、サングラスのサングラスレンズと内掛眼鏡の左右の度付きレンズとが重なり、サングラスを度付きサングラスとして使用することができる。さらに、サングラスのサングラスレンズは、焦点を調整する機能を備えない。そのため、サングラスレンズの設計の際にユーザの視力等によってサングラスレンズの曲率が制約されないので、曲率が大きいサングラスの製造は容易である。よって、第３の手段によれば、製造が容易であり、且つ、デザイン性に優れた度付きサングラスとして使用可能な眼鏡セットを提供することができる。
【００１９】
また、内掛眼鏡が取り替え可能であるので、各種デザインのサングラスを複数用意しておき、その中からＴＰＯに応じたサングラスに、ユーザの視力等に応じた度付きレンズが備えられた内掛眼鏡を取り付けることで、ユーザは、ＴＰＯに応じたデザインの度付きサングラスとしてサングラスを使用することができる。
【００２０】
第３の手段として提供される眼鏡セットは、好ましくは、前記内掛眼鏡は、前後方向に延びる貫通孔を具備し、前記切欠部は、前記突起部が前記貫通孔に挿通された状態において、前記貫通孔外に露出する位置に形成されており、前記左右のクリングスは、前記貫通孔に前記突起部が挿通された状態の前記切欠部に対して弾性的に係合する構成とされる。
【００２１】
かかる好ましい構成によれば、内掛眼鏡が前後方向に延びる貫通孔を具備し、突起部が貫通孔に挿通されるため、内掛眼鏡に対する突起部の上下左右方向の移動が阻止される。これにより、突起部、ひいては内掛眼鏡のサングラスへの取り付け状態を安定化させることができる。また、切欠部は、突起部が貫通孔に挿通された状態において、貫通孔外に露出する位置に形成されているため、突起部を貫通孔に挿通しても、クリングスと突起部との係合が阻害されることはない。従って、かかる好ましい構成によれば、クリングスと突起部との係合を阻害させることなく、内掛眼鏡のサングラスへの取り付け状態を安定化させることができる。
【００２２】
また、前記課題を解決するべく、本発明は、第４の手段として、サングラスレンズを有する前枠及びテンプルを具備するサングラスと、左右の度付きレンズを有し、且つ、前記サングラスの前枠よりも曲率が小さく、前記サングラスの前枠の後面に着脱自在に取り付けられる内掛眼鏡とを備えた眼鏡セットであって、前記内掛眼鏡は、前方に突出し、側方に切欠部が形成された突起部を具備し、前記サングラスは、鼻パッドが取り付けられた弾性を有する左右のクリングスが設けられ、前記左右のクリングスが、互いに反対方向に付勢されると共に、前記左右のクリングスが互いに左右反対方向に弾性変形し、前記突起部の切欠部に対して弾性的に係合することで、前記内掛眼鏡が前記サングラスの前枠の後面に取り付けられることを特徴とする眼鏡セットを提供する。
【００２３】
第４の手段として提供される眼鏡セットは、突起部が、内掛眼鏡に具備されて前方に突出し、クリングスがサングラスに設けられている点を除いて、第３の手段で提供される眼鏡セットと同一の構成である。第４の手段として提供される眼鏡セットにおいても、第３の手段として提供される眼鏡セットと同様に、突起部の切欠部とクリングスとが係合することで内掛眼鏡がサングラスの前枠の後面に取り付けられる。このように、第４の手段として提供される眼鏡セットは、第３の手段として提供される眼鏡セットと同様に、サングラスの後面に内掛眼鏡を取り付けることができるので、第３の手段として提供される眼鏡セットと同様の効果を有する。また、第４の手段として提供される眼鏡セットのサングラスは、内掛眼鏡を取り外した状態では、サングラスそのものとしても使用することができる。
【００２４】
第４の手段として提供される眼鏡セットは、好ましくは、前記サングラスは、前後方向に延びる貫通孔を具備し、前記切欠部は、前記突起部が前記貫通孔に挿通された状態において、前記貫通孔外に露出する位置に形成されており、前記左右のクリングスは、前記貫通孔に前記突起部が挿通された状態の前記切欠部に対して弾性的に係合する構成とされる。
【００２５】
かかる好ましい構成によれば、第３の手段の好ましい構成と同様に、クリングスと突起部との係合を阻害させることなく、内掛眼鏡のサングラスへの取り付け状態を安定化させることができる。
【発明の効果】
【００２６】
本発明によれば、製造が容易であり、且つ、デザイン性に優れた度付きサングラスとして使用可能な眼鏡セットを提供することができる。
【発明を実施するための最良の形態】
【００２７】
（実施形態１）
図１は本実施形態に係る眼鏡セットの外観図であり、図１（ａ）は眼鏡セットの平面図を示し、図１（ｂ）は眼鏡セットの正面図を示し、図１（ｃ）は眼鏡セットの背面図を示す。尚、図１（ｃ）においては、テンプル及び丁番構造（後述する）は図示を省略している。図１に示すように、本実施形態に係る眼鏡セット１は、左右の度付きレンズ２１１を有する前枠２１及びテンプル２３を具備する度付き眼鏡２と、度付き眼鏡２の前枠２１よりも曲率が大きく、度付き眼鏡２の前面に着脱自在に取り付けられる前掛サングラスレンズ３とを備えている。度付き眼鏡２は、前枠２１とテンプル２３の他、細長部材２２を備えている。
【００２８】
図２は前枠２１の外観図であり、図２（ａ）は前枠２１の正面図を示し、図２（ｂ）は前枠２１の左の貫通孔２１６（後述する）の近傍の拡大背面図を示す。図２に示すように、前枠２１は、左右の度付きレンズ２１１と、リム部２１２と、ブリッジ部２１３と、左右のクリングス２１４と、鼻パッド２１５と、貫通孔２１６を具備している。
【００２９】
左右の度付きレンズ２１１に使用されるレンズは、度が入っている限りにおいては特に限定されるものでなく、色が付いたレンズであっても、偏向性を有したレンズであってもよい。
【００３０】
リム部２１２は、左右それぞれの度付きレンズ２１１の外周部の上部から内側部に沿って設けられており、レンズ２１１を保持している。尚、このようなリムのタイプは一般的にハーフリムタイプと呼ばれている。
【００３１】
ブリッジ部２１３は、左右のリム部２１２を連結している。図１に示すように、かかるブリッジ部２１３は、度付き眼鏡２のユーザの鼻の形状に対応して中央部が前方に突出するように湾曲している。
【００３２】
図２（ｂ）に示すように、左右のクリングス２１４は、中間部２１４ｂが屈曲した略Ｌ字状に形成されている。左右のクリングス２１４は、それぞれ基端部２１４ａがリム部２１２の後面にろう付け等により取り付けられている。左のクリングス２１４は、基端部２１４ａに対して中間部２１４ｂが略水平方向右側に位置し、中間部２１４ｂに対して先端部２１４ｃが下方に位置している。右のクリングス２１４は、基端部２１４ａに対して中間部２１４ｂが略水平方向左側に位置し、中間部２１４ｂに対して先端部２１４ｃが下方に位置している。左右のクリングス２１４は、弾性を有し、中間部２１４ｂにおける屈曲角が大きくなる方向に弾性変形すると、当該屈曲角を小さくする方向に付勢力が作用し、中間部２１４ｂにおける屈曲角が小さくなる方向に弾性変形すると、当該屈曲角を大きくする方向に付勢力が作用する。即ち、図２（ｂ）に示すように、中間部２１４ｂから先端部２１４ｃの間の部分（以下、係合部２１４ｄという）が右（矢印Ｒ）方向に移動するように左又は右のクリングス２４を弾性変形させると、当該係合部２１４ｄを左（矢印Ｌ）方向に付勢する付勢力が左又は右のクリングス２１４に作用する。係合部２１４ｄが左方向に移動するように左又は右のクリングス２１４を弾性変形させると、係合部２１４ｄを右方向に付勢する付勢力が左又は右のクリングス２１４に作用する。
【００３３】
貫通孔２１６は、ブリッジ部２１３を前後方向に貫通する前後方向に延びる孔である。貫通孔２１６は、ブリッジ部２１３の左右方向中央の２箇所に形成されている。図２（ｂ）に示すように、左の貫通孔２１６は、弾性変形していない状態の左のクリングス２１４の係合部２１４ｄと前後に重なる位置に形成されている。同様に、右の貫通孔２１６は、弾性変形していない状態の右のクリングス２１４の係合部２１４ｄと前後に重なる位置に形成されている。
【００３４】
図１に示すように、細長部材２２は、長手方向が左右方向に向けられており、前枠２１の左右のリム部２１２の前面にろう付け等によって取り付けられている。細長部材２２の左右方向中央部は、前枠２１のブリッジ部２１３の形状に対応して前方に突出している。また、細長部材２２は、前後方向に貫通する前後方向に延びる貫通孔２２１が左右方向中央の２箇所に形成されている。この貫通孔２２１の間隔は、前枠２１に形成された貫通孔２１６の間隔と同一とされている。この貫通孔２２１は、前枠２１に形成された貫通孔２１６と結合して、細長部材２２及び前枠２１を前後方向に貫通する貫通孔２４を形成する。さらに、細長部材２の左右方向両端部には、丁番構造２２２が備えられている。丁番構造２２２には、左右のテンプル２３の前端部が連結されており、丁番構造２２２によって、左右のテンプル２３が細長部材２２に対して回動自在とされている。
【００３５】
図３は前掛サングラスレンズ３の外観図であり、図３（ａ）は前掛サングラスレンズ３の平面図を示し、図３（ｂ）は前掛サングラスレンズ３の正面図を示す。図３に示すように、前掛サングラスレンズ３は、サングラスレンズ３１と、突起部３３と、突起部３３をサングラスレンズ３１に取り付ける取付部３４とを備えている。
【００３６】
サングラスレンズ３１は、眼鏡セット１のユーザの左目及び右目を含む顔面全体を覆うことができるように、左右方向に長く形成されている。即ち、本実施形態では、サングラスレンズ３１は、左目の視界に入る左のサングラスレンズと、右目の視界に入る右のサングラスレンズとを兼ねている。サングラスレンズ３１に使用されるレンズは、度が入っていない限りにおいては、特に限定されるものでなく、色の付いたものや偏向性を有したレンズ等を使用することができる。
【００３７】
サングラスレンズ３１は、ユーザの顔面に沿うように、中央部が前方に位置し、左右両端側に向かうほど後方に位置するように曲面状に形成されている。サングラスレンズ３１の曲率は、度付き眼鏡２の前枠２１の曲率より大きく形成されている。本実施形態では、度付き眼鏡２の前枠２１の曲率には、曲率半径が２５０〜４５０ｍｍの間の曲率が採用されている。曲率半径が２５０〜４５０ｍｍの曲率は、通常の度付き眼鏡の前枠に採用されている曲率であり、度付き眼鏡の製造が比較的容易な曲率である。サングラスレンズ３１の曲率は、度付き眼鏡２の前枠２１の曲率より大きい限りにおいて限定されるものでなく、本実施形態においては、曲率半径が８０〜１５０ｍｍの間の曲率が採用されている。尚、曲率半径が８０〜１５０ｍｍの曲率は、デザイン性の良いスポーツ用サングラス等に使用される６カーブレンズや、８カーブレンズと呼ばれるレンズの曲率である。
【００３８】
突起部３３をサングラスレンズ３１に取り付ける取付部３４は、サングラスレンズ３１の中央後面に取り付けられている。この取り付けは、サングラスレンズ３１の前面側から後面側にサングラスレンズ３１を貫通したネジ３５を取付部３４の前面側に食い込ませることで行われている。取付部３４の後面は、平面視中央が凹状に形成されており、厚みが大きい左右両端部に、後面に開口された前後方向に延びる支持孔３４１が形成されている。２つの支持孔３４１の間隔は、貫通孔２４と同一とされている。
【００３９】
突起部３３は、サングラスレンズ３１の後方に突出するように２つの支持孔３４１にはめ込まれている。各突起部３３は、略円柱状に形成されており、突起部３３の径は、突起部３３が貫通孔２４に挿通できるような大きさとされている。
【００４０】
かかる突起部３３には、側方に切欠部３３１が形成されている。本実施形態においては、切欠部３３１は、突起部３３の前掛サングラス３の中央側の側方に形成されている。即ち、左の突起部３３においては、切欠部３３１は突起部３３の右側面に形成され、右の突起部３３においては、切欠部３３１は突起部３３の左側面に形成されている。尚、切欠部３３１は、突起部３３の側方に形成されていればよく、例えば、突起部３３の周面全周に形成されていてもよい。切欠部３３１の大きさは、少なくともクリングス２１４の係合部分２１４ｄがはまり込んで、切欠部３３１と係合部２１４ｄとが係合できる大きさである限りにおいて、特に限定されるものでない。
【００４１】
また、切欠部３３１は、突起部３３が貫通孔２４に挿通された状態において、貫通孔２４外に露出する位置に形成されている。本実施形態では、突起部３３の支持孔３４１の開口部分（以下、前端部という）から貫通孔２４の長さ以上後端部側に離れた位置に形成されている。このような位置に形成されると、突起部３３の切欠部３３１よりも前端部側が、貫通孔２４に挿通されているとき、切欠部３３１は、貫通孔２４外に露出する。
【００４２】
以上に説明した構成の前掛サングラス３を度付き眼鏡２の前面に取り付ける方法について説明する。図４は、この取り付け方法を説明するための図である。まず、図４（ａ）に示すように、左右のクリングス２１４の係合部２１４ｄ又は左右の鼻パッド２１５を指等でつまみ、左右のクリングス２１４の中間部２１４ｂにおける屈曲角が大きくなるように左右のクリングス２４を弾性変形させて、左右のクリングス２１４の係合部２１４ｄを左右の貫通孔２４の間に移動させる。即ち、左のクリングス２１４の係合部２１４ｄを左の貫通孔２４の右側に移動させ、右のクリングス２１４の係合部２１４ｄを右の貫通孔２４の左側に移動させる。
【００４３】
次に、図４（ｂ）に示すように、前掛サングラスレンズ３を度付き眼鏡２の前方に移動させ、左の突起部３３を左の貫通孔２４に合わせ、右の突起部３３を右の貫通孔２４に合わせ、前掛サングラスレンズ３を度付き眼鏡２に対して後方へスライドさせる。このスライドにより、左右の突起部３３が左右の貫通孔２４の前面側から左右の貫通孔２２１に挿通される。図４（ｃ）に示すように、このスライドにより、左右の突起部３３の切欠部３３１が、貫通孔２４から細長部材２の後方に露出すると、係合部２１４ｄ又は鼻パッド２１５から指等を離す。
【００４４】
上述のように、係合部２１４ｄ又は鼻パッド２１５を指等でつまんで、左右のクリングス２１４の中間部２１４ｂにおける屈曲角が大きくなるように左右のクリングス２１４を弾性変形させているので、係合部２１４ｄ又は鼻パッド２１５から指等を離すと、左右のクリングス２１４には、中間部２１４ｂにおける屈曲角が小さくなる方向の付勢力が作用する。即ち、左のクリングス２１４には、係合部２１４ｄを左方向に付勢する付勢力が作用し、この付勢力によって、左のクリングス２１４の係合部２１４ｄは左方向に移動する。左のクリングス２１４の係合部２１４ｄは、左のクリングス２１４が弾性変形していないとき、左の貫通孔２４と前後に重なる位置に位置している。よって、左のクリングス２１４に作用する付勢力は、係合部２１４ｄが左の貫通孔２４と前後に重なる位置に移動するまで作用する。しかし、左の貫通孔２４には、図４（ｃ）に示すように、左の突起部３３が挿通され、切欠部３３１が、貫通孔２４から細長部材２の後方に露出している。この切欠部３３１は、左の突起部３３の右側面に形成されている。このように、切欠部３３１が、貫通孔２４から細長部材２の後方に露出し、切欠部３３１が左の突起部３３の右側面に形成されているので、係合部２１４ｄは、切欠部３３１に弾性的に係合する。同様に、係合部２１４ｄ又は鼻パッド２１５から指等が離されると、右のクリングス２１４には、係合部２１４ｄを右方向に付勢する付勢力が作用し、右のクリングス２１４の係合部２１４ｄは右方向に移動して、右の突起部３３の切欠部３３１に弾性的に係合する。
【００４５】
このように、互いに反対方向に付勢された左右のクリングス２１４が突起部３３に係合することで、前掛サングラスレンズ３は、左右のクリングス２１４の付勢力が釣り合う位置にて静止する。さらに、突起部３３の切欠部３３１に係合部２１４ｄが係合することで、左右のクリングス２１４に対して前掛サングラスレンズ３の前後方向の移動が阻止される。これにより、前掛サングラスレンズ３の取り付けが完了する。
【００４６】
以上のように、度付き眼鏡２の前枠２１の前面に前掛サングラスレンズ３を取り付けると、正面視において、度付き眼鏡２が前掛サングラスレンズ３によって隠れる。そのため、度付き眼鏡２の前枠２１の前面に曲率が大きい前掛サングラスレンズ３を取り付けると、度付き眼鏡２は、前枠が顔面に沿うような大きな曲率で湾曲したサングラスのように視認される。また、このように、度付き眼鏡２の前枠２１の前面に前掛サングラスレンズ３を取り付ければ、度付き眼鏡２の左右の度付きレンズ２１１と前掛サングラスレンズ３とが重なり、度付き眼鏡２を度付きサングラスとして使用することができる。さらに、上述のように、前掛サングラスレンズ３に使用されるレンズは、度が入っておらず焦点を調整する機能を備えないため、ユーザの視力等によってレンズの曲率が制約されない。従って、曲率が大きい前掛サングラスレンズ３の製造は容易である。よって、本実施形態の眼鏡セット１は、製造が容易であり、且つ、デザイン性に優れた度付きサングラスとして使用可能である。
【００４７】
また、前掛サングラスレンズ３の度付き眼鏡２の前面からの取り外しは、まず、左右のクリングス２１４を切欠部３３１と係合している状態からさらに弾性変形させて、切欠部３３１と左右のクリングス２１の係合部２１４ｄとの係合を解除する。具体的には、左右のクリングス２１４の係合部２１４ｄ又は左右の鼻パッド２１５を指等でつまんで、左のクリングス２１４の係合部２１４ｄを右側に移動させ、右のクリングス２１４の係合部２１４ｄを左側に移動させて、切欠部３３１と係合部２１４ｄとの係合を解除する。次に、貫通孔２４から突起部３３が完全に抜けるまで、前掛サングラス３を度付き眼鏡２に対して前方にスライドさせることで、前枠３を度付き眼鏡２の前面から取り外すことができる。
【００４８】
よって、前掛サングラスレンズ３の度付き眼鏡２への取り付け及び取り外しは、切欠部３３１とクリングス２１４の係合部２１４ｄとの係合によって行われ、一般ユーザであっても前掛サングラスレンズ３の取り替えを容易に行うことができる。このように前掛サングラスレンズ３の取り替えが可能であるので、各種デザインの前掛サングラスレンズ３を複数用意しておき、度付き眼鏡２に取り付ける前掛サングラスレンズ３を取り替えれば、度付き眼鏡２を様々なデザインの度付きサングラスとして使用することができる。
【００４９】
もちろん、前掛サングラスレンズ３を度付き眼鏡２から取り外した状態では、度付き眼鏡２を、度付き眼鏡そのものとして使用することができる。
【００５０】
また、本実施形態に係る眼鏡セット１は、度付き眼鏡２が前後方向に延びる貫通孔２４を具備し、突起部３３が貫通孔２４に挿通されるため、度付き眼鏡２に対する突起部３３の上下左右方向の移動が阻止される。これにより、突起部３３、ひいては前掛サングラスレンズ３の度付き眼鏡２への取り付け状態を安定化させることができる。また、切欠部３３１は、突起部３３の前端部まで貫通孔２４を挿通させると、貫通孔２４外に露出する位置に形成されているため、突起部３３を貫通孔２４に挿通しても、クリングス２１４の係合部２１４ｄと突起部３３の切欠部３３１との係合が阻害されることはない。従って、本実施形態の眼鏡セット１は、クリングス２１４と突起部３３との係合を阻害させることなく、前掛サングラスレンズ３の度付き眼鏡２への取り付け状態の安定化が図られている。
【００５１】
（実施形態２）
図５は、本実施形態に係る眼鏡セット１Ａの平面図である。本実施形態に係る眼鏡セット１Ａは、突起部３３Ａが、度付き眼鏡２Ａに具備されて前方に突出し、クリングス２１４Ａと、鼻パッド２１５Ａと、貫通孔２４Ａとが前掛サングラスレンズ３Ａに具備されている点を除いて、実施形態１の眼鏡１と同じである。
【００５２】
図６は本実施形態に係る眼鏡セット１Ａの前掛サングラスレンズ３Ａの外観図であり、図６（ａ）は前掛サングラスレンズ３Ａの平面図を示し、図６（ｂ）は前掛サングラスレンズ３Ａの背面図を示す。図６に示すように、前掛サングラスレンズ３Ａは、サングラスレンズ３１Ａと、左右のクリングス２１４Ａと、鼻パッド２１５Ａと、貫通孔２４Ａとを備えている。サングラスレンズ３１Ａの構成は実施形態１と同じである。
【００５３】
図６（ｂ）に示すように、左右のクリングス２１４Ａは、実施形態１と同様に、中間部２１４Ａｂが屈曲した略Ｌ字状に形成されている。左右のクリングス２１４Ａは、基端部２１４Ａａがサングラスレンズ３１の後面に取り付けられている。左右のクリングス２１４Ａの基端部２１４Ａａが取り付けられる位置は、眼鏡セット１Ａのユーザの視界にクリングス２１４Ａが入り難くするために、ユーザの両目の間となるサングラスレンズ３１の後面の中央とされている。左右のクリングス２１４Ａにおける基端部２１４Ａａと、中間部２１４Ａｂと、先端部２１４Ａｃとの位置関係は、実施形態１と同一である。また、左右のクリングス２１４Ａは、弾性を有し、中間部２１４Ａｂにおける屈曲角が大きくなる方向に弾性変形すると、当該屈曲角を小さくする方向に付勢力が作用し、中間部２１４Ａｂにおける屈曲角が小さくなる方向に弾性変形すると、当該屈曲角を大きくする方向に付勢力が作用する。
【００５４】
貫通孔２４Ａは、サングラスレンズ３１Ａを前後方向に貫通する前後方向に延びる孔である。貫通孔２４Ａは、サングラスレンズ３１Ａの中央の左右２箇所に形成されている。図６（ｂ）に示すように、左の貫通孔２４Ａは、弾性変形していない状態の左のクリングス２１４の係合部２１４ｄと前後に重なる位置に形成されている。同様に、右の貫通孔２１６は、弾性変形していない状態の右のクリングス２１４の係合部２１４ｄと前後に重なる位置に形成されている。
【００５５】
図７は、度付き眼鏡２Ａの平面図である。図７に示すように、度付き眼鏡２Ａは、実施形態１の度付き眼鏡２と同様に、前枠２１Ａと、細長部材２２Ａと、テンプル２３Ａとを備えている。
【００５６】
前枠２１Ａは、左右の度付きレンズ２１１Ａと、リム部２１２Ａと、ブリッジ部２１３Ａとを備え、クリングス２１４、鼻パッド２１５、貫通孔２１６を備えていない点を除いて、実施形態１の前枠２１と同一の構成である。細長部材２２Ａは、貫通孔２２１が形成されていない点及び突起部３３Ａが形成されている点を除いて、実施形態１の細長部材２２Ａと同一の構成である。また、テンプル２３Ａは、実施形態１のテンプル２３と同一の構成である。
【００５７】
突起部３３Ａは、細長部材２２Ａの中央部前面から前方に突出するように形成されている。この突起部３３Ａは、実施形態１の突起部３３と同様に、側方に切欠部３３１Ａが形成された細長い円柱状の部材によって形成され、径は、貫通孔２４Ａに挿通できるような大きさとされている。切欠部３３１Ａは、実施形態１の切欠部３３１と同様に、突起部３３Ａの細長部材２２Ａの中央側の側面に形成されている。また、切欠部３３１Ａは、突起部３３Ａが貫通孔２４Ａに挿通された状態において、貫通孔２４Ａ外に露出する位置に形成されている。本実施形態では、突起部３３Ａの前端部から貫通孔２４Ａの長さ以上後端部（細長部材２２Ａ）側に離れた位置に形成されている。このような位置に形成されると、突起部３３Ａの前端部と切欠部３３１Ａとの間の部分が貫通孔２４Ａに挿通されているとき、前端部と切欠部３３１Ａとを貫通孔２４Ａ外に露出させることができる。尚、切欠部３３１Ａの大きさは、実施形態１の切欠部３３１と同一である。
【００５８】
以上に説明した構成の前掛サングラス３Ａを度付き眼鏡２Ａの前面に取り付ける方法について説明する。実施形態１と同様に、まず、前掛サングラスレンズ３Ａに形成された左右のクリングス２１４Ａの係合部２１４Ａｄ又は鼻パッド２１５Ａを指等でつまみ、係合部２１４Ａｄを左右の貫通孔２４Ａの間に移動させる。次に、前掛サングラスレンズ３Ａを度付き眼鏡２Ａの前方に移動させ、左右の突起部３３Ａを左右の貫通孔２４Ａに合わせ、前掛サングラスレンズ３Ａを度付き眼鏡２Ａに対して後方へスライドさせる。そして、このスライドにより、左右の突起部３３Ａの切欠部３３１Ａがサングラスレンズ３１Ａの後方に露出した状態で、左右の突起部３３Ａの前端部がサングラスレンズ３１Ａの前方に露出すると、係合部２１４Ａｄ又は鼻パッド２１５Ａから指等を離して、突起部３３Ａの切欠部３３１Ａに係合部２１４Ａｄを係合させる。これにより、図５に示すように、前掛サングラスレンズ３Ａが度付き眼鏡２Ａの前面に取り付けられる。
【００５９】
以上のように、本実施形態の眼鏡セット１Ａは、前掛サングラスレンズ３Ａを度付き眼鏡２Ａの前面に取り付けることができるので、実施形態１の眼鏡セット１と同様に、製造が容易であり、且つ、デザイン性に優れた度付きサングラスとして使用することが可能である。
【００６０】
また、前掛サングラスレンズ３Ａの度付き眼鏡２Ａの前面からの取り外しは、実施形態１と同様に、切欠部３３１Ａと係合部２１４Ａｄとの係合状態を解除し、前掛サングラスレンズ３Ａを前方にスライドさせて、突起部３３Ａが完全に貫通孔２４Ａから抜け出させることで行うことができる。よって、前掛サングラスレンズ３Ａの度付き眼鏡２への取り付け及び取り外しは、一般ユーザであっても容易に行うことができ、前掛サングラスレンズ３Ａを取り替えることで、度付き眼鏡２Ａを様々なデザインのサングラスとして使用することができる。
【００６１】
（実施形態３）
図８は、本実施形態に係る眼鏡セット１Ｂの外観図であり、図８（ａ）は眼鏡セット１Ｂの平面図を示し、図８（ｂ）は眼鏡セット１Ｂの正面図を示す。図８に示すように、眼鏡セット１Ｂは、サングラスレンズ３１Ｂを具備するサングラス４Ｂと、左右の度付きレンズ２１１Ｂを有し、サングラス４Ｂの後面に着脱自在に取り付けられる内掛眼鏡５Ｂとを備えている。
【００６２】
サングラス４Ｂは、サングラスレンズ３１Ｂを有する前枠３０Ｂと、左右のテンプル２３Ｂと、丁番構造２２２Ｂと、突起部３３Ｂと、取付部３４Ｂとを備えている。
【００６３】
図９はサングラス４Ｂの平面図である。図９に示すように、前枠３０Ｂは、サングラスレンズ３１Ｂと、リム部３１２Ｂとを備えている。サングラスレンズ３１Ｂは、実施形態１の眼鏡セット１のサングラスレンズ３１と同一の構成とされている。
【００６４】
図８（ｂ）及び図９に示すように、リム部３２Ｂは、サングラスレンズ３１Ｂの上端部に沿って配置されており、サングラスレンズ３１Ｂの上端部と接着されている。
【００６５】
丁番構造２２２Ｂは、リム部３２Ｂの左右方向両端部に設けられており、左右のテンプル２３Ｂの前端部が連結されており、丁番構造２２２Ｂによって、左右のテンプル２３Ｂが前枠３０Ｂに対して回動自在とされている。
【００６６】
図９に示すように、突起部３３Ｂをサングラスレンズ３１Ｂに取り付ける取付部３４Ｂは、サングラスレンズ３１Ｂの中央後面に取り付けられている。この取り付けは、実施形態１の取付部３４Ｂと同じ方法で行われている。取付部３４Ｂの構造は、実施形態１の取付部３４と同一である。また、突起部３３Ｂは、実施形態１の突起部３３と同一の構成であり、突起部３３は、サングラスレンズ３１の後方に突出するように取付部３４Ｂの２つの支持孔３４１Ｂにはめ込まれている。突起部３３には、切欠き部３３１Ｂが形成されており、切欠部３３１Ｂも実施形態１の切欠部３３１と同一の構成である。
【００６７】
内掛眼鏡５Ｂは、実施形態１の度付き眼鏡２の前枠２１と同じ構成とされている。尚、内掛眼鏡５Ｂの曲率は、サングラス４Ｂの前枠３０Ｂの曲率より小さい限りにおいて、特に限定されるものでない。
【００６８】
以上に説明した構成の内掛眼鏡５Ｂをサングラス４Ｂの後面に取り付ける方法について説明する。実施形態１と同様に、まず、内掛眼鏡５Ｂに形成された左右のクリングス２１４Ｂの係合部又は鼻パッド２１５Ｂを指等でつまみ、係合部を左右の貫通孔２１６Ｂの間に移動させる。次に、内掛眼鏡５Ｂをサングラス４Ｂの後方に移動させ、左右の突起部３３Ｂを左右の貫通孔２１６Ｂに合わせ、内掛眼鏡５Ｂをサングラス４Ｂに対して前方へスライドさせ、左右の突起部３３Ｂを左右の貫通孔２１６Ｂの後方側から左右の貫通孔２１６Ｂに挿通させる。このスライドにより、左右の突起部３３Ｂの切欠部３３１Ｂが内掛眼鏡５Ｂの後方に露出すると、係合部又は鼻パッド２１５Ｂから指等を離す。指等を離すと、突起部３３Ｂの切欠部３３１Ｂに係合部が係合する。これにより、図８に示すように、内掛眼鏡５Ｂがサングラス４Ｂの後面に取り付けられる。
【００６９】
以上のように、サングラス４Ｂの後面に内掛眼鏡５Ｂを取り付けると、正面視において、内掛眼鏡５Ｂがサングラス４Ｂによって隠れる。よって、サングラス４Ｂの前枠３０Ｂの曲率よりも曲率の小さい内掛け眼鏡５Ｂを取り付けても、サングラス４Ｂの前枠３０Ｂが実際よりも小さく視認されることが無い。従って、例えば、サングラス４Ｂの前枠３０Ｂの曲率が大きい場合、内掛眼鏡５Ｂを取り付けても、サングラス４Ｂは、サングラスレンズ３１Ｂが顔面に沿うように湾曲したデザイン性に優れた形状として視認される。このように、サングラス４Ｂの前枠３０Ｂの後面に内掛眼鏡５Ｂを取り付ければ、サングラス４Ｂのサングラスレンズ３１Ｂと内掛眼鏡５Ｂの左右の度付きレンズ２１１Ｂとが重なり、サングラス４Ｂを度付きサングラスとして使用することができる。さらに、サングラス４Ｂのサングラスレンズ３１Ｂは、度が入っておらず、焦点を調整する機能を備えない。そのため、サングラスレンズ３１Ｂの設計の際にユーザの視力等によってサングラスレンズ３１Ｂの曲率が制約されないので、曲率が大きいサングラス４Ｂの製造は容易である。よって、本実施形態に係る眼鏡セット１Ｂは、製造が容易であり、且つ、デザイン性に優れた度付きサングラスとして使用することが可能である。
【００７０】
また、内掛眼鏡５Ｂのサングラス４Ｂの後面からの取り外しは、実施形態１と同様に、切欠部３３１Ｂと係合部との係合状態を解除し、内掛眼鏡５Ｂを後方にスライドさせて、突起部３３Ｂが完全に貫通孔２１６Ｂから抜け出させることで行うことができる。
【００７１】
よって、内掛眼鏡５Ｂのサングラス４Ｂへの取り付け及び取り外しは、突起部３３Ｂの切欠部３３１Ｂとクリングス２１４の係合部２１４Ａｄとの係合によって行われ、ユーザであっても内掛眼鏡５Ｂの取り替えを容易に行うことができる。従って、各種デザインのサングラス４Ｂを複数用意しておき、その中からＴＰＯに応じたサングラス４Ｂに、ユーザの視力等に応じた度付きレンズ２１１Ｂが備えられた内掛眼鏡５Ｂを取り付けることで、ユーザは、ＴＰＯに応じたデザインの度付きサングラスとしてサングラス４Ｂを使用することができる。
【００７２】
（実施形態４）
図１０は、本実施形態に係る眼鏡セット１Ｃの外観図であり、図１０（ａ）は眼鏡セット１Ｃの平面図を示し、図１０（ｂ）は眼鏡セット１Ｃを構成する内掛眼鏡５Ｃの平面図である。図１０に示すように、眼鏡セット１Ｃは、サングラスレンズ３１１Ｃを具備するサングラス４Ｃと、左右の度付きレンズ２１１Ｃを有し、サングラス４Ｃの後面に着脱自在に取り付けられる内掛眼鏡５Ｃとを備えている。
【００７３】
内掛眼鏡５Ｃは、２つの突起部３３Ｃが形成されている点を除いて実施形態２の度付き眼鏡２Ａの前枠２１Ａと同一の構成である。突起部３３Ｃは、ブリッジ部２１３Ｃから前方に突出するように形成されている。この突起部３３Ｃの形状と、径の大きさとは実施形態２の突起部３３Ａと同一である。また、突起部３３Ｃには、切欠部３３１Ｃが形成されており、切欠部３３１Ｃの大きさ及び突起部３３Ｃにおける切欠部３３１Ｃの形成される位置も、実施形態２と同一である。
【００７４】
図１１はサングラス４Ｃの外観図であり、図１１（ａ）はサングラス４Ｃの平面図を示し、図１１（ｂ）はサングラス４Ｃの背面図を示す。図１１に示すように、サングラス４Ｃは、前枠３０Ｃの他、左右のテンプル２３Ｃと、丁番構造２２２Ｃと、左右のクリングス２１４Ｃと、左右の鼻パッド２１５Ｃと、貫通孔２４Ｃとを備えている。テンプル２３Ｃと、丁番構造２２２Ｃとは、実施形態３のサングラス４Ｂのテンプル２３Ｂと、丁番構造２２２Ｂと同一の構成である。
【００７５】
前枠３０Ｃは、サングラスレンズ３１Ｃと、リム部３２Ｃとを備えている。前枠３０Ｃは、サングラスレンズ３１Ｃに貫通孔２４Ｃが形成されていることを除いて、実施形態３のサングラス４Ｂの前枠３０Ｂと同一の構成である。
【００７６】
左右のクリングス２１４Ｃは、実施形態２の左右のクリングス２１４Ａと同様に中間部２１４Ｃｂが屈曲した略Ｌ字状に形成されており、基端部２１４Ｃａがサングラスレンズ３１Ｃの後面に取り付けられている。左右のクリングス２１４Ｃにおける基端部２１４Ｃａと、中間部２１４Ｃｂと、先端部２１４Ｃｃとの位置関係は、実施形態２の当該位置関係と同一である。また、左右のクリングス２１４Ｃは、弾性を有し、中間部２１４Ｃｂにおける屈曲角が大きくなる方向に弾性変形すると、当該屈曲角を小さくする方向に付勢力が作用し、中間部２１４Ｃｂにおける屈曲角が小さくなる方向に弾性変形すると、当該屈曲角を大きくする方向に付勢力が作用する。かかるクリングス２１４Ｃの先端部２１４Ｃｃには鼻パッド２１５Ｃが取り付けられている。
【００７７】
貫通孔２４Ｃは、サングラスレンズ３１Ｃを前後方向に貫通する前後方向に延びる孔である。貫通孔３１Ｃは、サングラスレンズ３１Ｃの中央の左右２箇所に形成されている。左右の貫通孔２４Ｃと左右のクリングス２１４Ｃの係合部２１４Ｃｄとの位置関係は、実施形態２の左右の貫通孔２４Ａと左右のクリングス２１４Ｃの係合部２１４Ａｄとの関係と同じである。また、左右の貫通孔２４Ｃと左右の突起部３３Ｃの間隔は実施形態２と同様に、同一とされている。
【００７８】
以上に説明した構成の内掛眼鏡５Ｃをサングラス４Ｃの後面に取り付ける方法について説明する。実施形態１と同様に、まず、サングラス４Ｃに形成された左右のクリングス２１４Ｃの係合部２４１Ｃｄ又は鼻パッド２１５Ｃを指等でつまみ、係合部２４１Ｃｄを左右の貫通孔２４Ｃの間に移動させる。次に、内掛眼鏡５Ｃをサングラス４Ｃの後方に移動させ、左右の突起部３３Ｃを左右の貫通孔２４Ｃに合わせ、内掛眼鏡５Ｃをサングラス４Ｃに対して前方へスライドさせ、左右の突起部３３Ｃを左右の貫通孔２４Ｃに挿通させる。そして、このスライドにより、左右の突起部３３Ｃの切欠部３３１Ｃがサングラスレンズ３１Ｃの後方に露出した状態で、左右の突起部３３Ｃの前端部がサングラスレンズ３１Ｃの前方に露出すると、係合部２４１Ｃｄ又は鼻パッド２１５Ｃから指等を離して、突起部３３Ａの切欠部３３１Ａに係合部を係合させる。これにより、図１０に示すように、内掛眼鏡５Ｃがサングラス４Ｃの後面に取り付けられる。
【００７９】
以上のように、本実施形態の眼鏡セット１Ｃは、内掛眼鏡５Ｃをサングラス４Ｃの後面に取り付けることができるので、実施形態３の眼鏡セット１Ｂと同様に、製造が容易であり、且つ、デザイン性に優れた度付きサングラスとして使用することが可能である。
【００８０】
また、内掛眼鏡５Ｃのサングラス４Ｃの後面からの取り外しは、実施形態１と同様に、切欠部３３１Ｃと係合部２１４Ｃｄとの係合状態を解除し、内掛眼鏡５Ｃを後方にスライドさせて、突起部３３Ｃが完全に貫通孔２６Ｃから抜け出させることで行うことができる。
【００８１】
よって、内掛眼鏡５Ｃのサングラス４Ｃへの取り付け及び取り外しは、切欠部３３１Ｃとクリングス２１４Ｃの係合部２１４Ｃｄとの係合によって行われ、ユーザであっても内掛眼鏡５Ｃの取り替えを容易に行うことができる。従って、各種デザインのサングラス４Ｃを複数用意しておき、その中からＴＰＯに応じたサングラス４Ｃに、ユーザの視力等に応じた度付きレンズ２１１Ｃが備えられた内掛眼鏡５Ｃを取り付けることで、ユーザは、ＴＰＯに応じたデザインの度付きサングラスの使用が可能となる。もちろん、内掛眼鏡５Ｃを取り外した状態では、サングラス４Ｃを、サングラスそのものとして使用することができる。
【００８２】
尚、実施形態１及び２においては、左右のクリングスに反対方向の付勢力を作用させて、前掛サングラスレンズを度付き眼鏡に取り付けている。また、実施形態３及び４においては、左右のクリングスに反対方向の付勢力を作用させて、内掛眼鏡をサングラスに取り付けている。このように反対方向の付勢力を作用させるために、実施形態１〜４においては、左のクリングスの係合部を左の貫通孔の右側に移動させて、左のクリングスに左方向の付勢力を作用させ、右のクリングスの係合部を右の貫通孔の左側に移動させ、右のクリングスに左方向の付勢力を作用させている。このような反対方向の付勢力を作用させる方法としては、例えば、左のクリングスの係合部を左の貫通孔の左側に移動させて、左のクリングスに右方向の付勢力を作用させ、右のクリングスの係合部を右の貫通孔の右側に移動させ、右のクリングスに左方向の付勢力を作用させる方法を挙げることができる。この方法を実施形態１〜４に採用する場合は、左の突起部の左側面と、右の突起部の右側面とに切欠部を設ける必要がある。
【００８３】
また、実施形態１及び２においては、好ましい構成として、貫通孔に突起部が挿通された状態の切欠部に左右のクリングスを係合させることで、前掛サングラスレンズを度付き眼鏡に取り付ける構成について説明した。実施形態３及び４においては、貫通孔に突起部が挿通された状態の切欠部に左右のクリングスを係合させることで、内掛眼鏡をサングラスに取り付ける構成について説明した。しかし、本発明の眼鏡セットは、貫通孔に突起部を挿通させることは必須の構成ではない。例えば、実施形態１においては、突起部３３をブリッジ部２１３及び細線部材２２の下方を通過させて、クリングス２４と係合させる構成を採用することができる。同様に、実施形態２においては、突起部３３Ａをサングラスレンズ３１Ａの下方を通過させて、クリングス２４Ａと係合させる構成を、実施形態３においては、突起部３３Ｂを細線部材２２及びブリッジ部２１３Ｂの下方を通過させて、クリングス２４Ｃと係合させる構成を、実施形態４においては、突起部３３Ｃをサングラスレンズ３１Ｃの下方を通過させて、クリングス２４Ｃと係合させる構成を採用することができる。
【図面の簡単な説明】
【００８４】
【図１】図１は本実施形態に係る眼鏡セットの外観図であり、図１（ａ）は眼鏡セットの平面図を示し、図１（ｂ）は眼鏡セットの正面図を示し、図１（ｃ）は眼鏡セットの背面図を示す。
【図２】図２は前枠の外観図であり、図２（ａ）は前枠の正面図を示し、図２（ｂ）は前枠の左の貫通孔の近傍の拡大背面図を示す。
【図３】図３は前掛サングラスレンズの外観図であり、図３（ａ）は前掛サングラスレンズの平面図を示し、図３（ｂ）は前掛サングラスレンズの正面図を示す。
【図４】図４はこの取り付け方法を説明するための図である。
【図５】図５は本実施形態に係る眼鏡セットの平面図である。
【図６】図６は本実施形態に係る眼鏡セットの前掛サングラスレンズの外観図であり、図６（ａ）は前掛サングラスレンズの平面図を示し、図６（ｂ）は前掛サングラスレンズの背面図を示す。
【図７】図７は度付き眼鏡の平面図である。
【図８】図８は本実施形態に係る眼鏡セットの外観図であり、図８（ａ）は眼鏡セットの平面図を示し、図８（ｂ）は眼鏡セットの正面図を示す。
【図９】図９はサングラスの平面図である。
【図１０】図１０は、本実施形態に係る眼鏡セットの外観図であり、図１０（ａ）は眼鏡セットの平面図を示し、図１０（ｂ）は眼鏡セットを構成する内掛眼鏡の平面図である。
【図１１】図１１はサングラスの外観図であり、図１１（ａ）はサングラスの平面図を示し、図１１（ｂ）はサングラスの背面図を示す。
【符号の説明】
【００８５】
１、１Ａ、１Ｂ、１Ｃ  眼鏡
２、２Ａ  度付き眼鏡
３、３Ａ  前掛サングラス
４Ｂ、４Ｃ  サングラス
５Ｂ、５Ｃ  内掛眼鏡
２４、２４Ａ、２４Ｃ  クリングス
３３、３３Ａ、３３Ｂ、３３Ｃ  突起部
３３１、３３１Ａ、３３１Ｂ、３３１Ｃ  切欠部
【図１】
2008003155.tif 000003
【図２】
2008003155.tif 000004
【図３】
2008003155.tif 000005
【図４】
2008003155.tif 000006
【図５】
2008003155.tif 000007
【図６】
2008003155.tif 000008
【図７】
2008003155.tif 000009
【図８】
2008003155.tif 000010
【図９】
2008003155.tif 000011
【図１０】
2008003155.tif 000012
【図１１】
2008003155.tif 000013
【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
左右の度付きレンズを有する前枠及び左右のテンプルを具備する度付き眼鏡と、前記度付き眼鏡の前枠よりも曲率が大きく、前記度付き眼鏡の前枠の前面に着脱自在に取り付けられる前掛サングラスレンズとを備えた眼鏡セットであって、
前記前掛サングラスレンズは、後方に突出し、側方に切欠部が形成された突起部を具備し、
前記度付き眼鏡は、鼻パッドがそれぞれ取り付けられた弾性を有する左右のクリングスが設けられ、
前記左右のクリングスが、互いに反対方向に付勢されると共に、前記左右のクリングスが互いに左右反対方向に弾性変形し、前記突起部の切欠部に対して弾性的に係合することで、前記前掛サングラスレンズが前記度付き眼鏡の前枠の前面に取り付けられることを特徴とする眼鏡セット。
【請求項２】
前記度付き眼鏡は、前後方向に延びる貫通孔を具備し、
前記切欠部は、前記突起部が前記貫通孔に挿通された状態において、前記貫通孔外に露出する位置に形成されており、
前記左右のクリングスは、前記貫通孔に前記突起部が挿通された状態の前記切欠部に対して弾性的に係合することを特徴とする請求項１に記載の眼鏡セット。
【請求項３】
左右の度付きレンズを有する前枠及び左右のテンプルを具備する度付き眼鏡と、前記度付き眼鏡の前枠よりも曲率が大きく、前記度付き眼鏡の前枠の前面に着脱自在に取り付けられる前掛サングラスレンズとを備えた眼鏡セットであって、
前記度付き眼鏡は、前方に突出し、側方に切欠部が形成された突起部を具備し、
前記前掛サングラスレンズは、鼻パッドが取り付けられた弾性を有する左右のクリングスが設けられ、
前記左右のクリングスが、互いに反対方向に付勢されると共に、前記左右のクリングスが互いに左右反対方向に弾性変形し、前記突起部の切欠部に対して弾性的に係合することで、前記前掛サングラスレンズが前記度付き眼鏡の前枠の前面に取り付けられることを特徴とする眼鏡セット。
【請求項４】
前記前掛サングラスレンズは、前後方向に延びる貫通孔を具備し、
前記切欠部は、前記突起部が前記貫通孔に挿通された状態において、前記貫通孔外に露出する位置に形成されており、
前記左右のクリングスは、前記貫通孔に前記突起部が挿通された状態の前記切欠部に対して弾性的に係合することを特徴とする請求項３に記載の眼鏡セット。
【請求項５】
サングラスレンズを有する前枠及びテンプルを具備するサングラスと、左右の度付きレンズを有し、且つ、前記サングラスの前枠よりも曲率が小さく、前記サングラスの前枠の後面に着脱自在に取り付けられる内掛眼鏡とを備えた眼鏡セットであって、
前記サングラスは、後方に突出し、側方に切欠部が形成された突起部を具備し、
前記内掛眼鏡は、鼻パッドが取り付けられた弾性を有する左右のクリングスが設けられ、
前記左右のクリングスが、互いに反対方向に付勢されると共に、前記左右のクリングスが互いに左右反対方向に弾性変形し、前記突起部の切欠部に対して弾性的に係合することで、前記内掛眼鏡が前記サングラスの前枠の後面に取り付けられることを特徴とする眼鏡セット。
【請求項６】
前記内掛眼鏡は、前後方向に延びる貫通孔を具備し、
前記切欠部は、前記突起部が前記貫通孔に挿通された状態において、前記貫通孔外に露出する位置に形成されており、
前記左右のクリングスは、前記貫通孔に前記突起部が挿通された状態の前記切欠部に対して弾性的に係合することを特徴とする請求項５に記載の眼鏡セット。
【請求項７】
サングラスレンズを有する前枠及びテンプルを具備するサングラスと、左右の度付きレンズを有し、且つ、前記サングラスの前枠よりも曲率が小さく、前記サングラスの前枠の後面に着脱自在に取り付けられる内掛眼鏡とを備えた眼鏡セットであって、
前記内掛眼鏡は、前方に突出し、側方に切欠部が形成された突起部を具備し、
前記サングラスは、鼻パッドが取り付けられた弾性を有する左右のクリングスが設けられ、
前記左右のクリングスが、互いに反対方向に付勢されると共に、前記左右のクリングスが互いに左右反対方向に弾性変形し、前記突起部の切欠部に対して弾性的に係合することで、前記内掛眼鏡が前記サングラスの前枠の後面に取り付けられることを特徴とする眼鏡セット。
【請求項８】
前記サングラスは、前後方向に延びる貫通孔を具備し、
前記切欠部は、前記突起部が前記貫通孔に挿通された状態において、前記貫通孔外に露出する位置に形成されており、
前記左右のクリングスは、前記貫通孔に前記突起部が挿通された状態の前記切欠部に対して弾性的に係合することを特徴とする請求項７に記載の眼鏡セット。